(57)【要約】      （修正有）【課題】検査を受ける腔内が更に良好な照明効率を得る他に、全面的に均一に照射することで、更に腔内の均一な輝度を獲得し、実際に近い画像を撮影することで、誤った判断を防止する内視鏡撮影レンズの照射構造を提供する。【解決手段】内視鏡撮影レンズの照射構造は、主にレンズ部３と内視鏡管体４の一端の間に照射補助構造をリング形体で設置し、リング状に排列した複数個の発光体２１を含む。全体は透光リング２２で被覆し、照射リング２を形成する。使用時、各発光体２１の光線は、透光リング２２を経て外向きに均一に散光し、リング状に３６０度の完全な光線投射する。【選択図】図３
0003212801.tif 000002
【実用新案登録請求の範囲】
【請求項１】
主に照射リングから構成された内視鏡撮影レンズの照射構造において、
レンズ部と内視鏡管体遠隔の間に設置し、該照射リング内部にはリング状に排列した複数個の発光体を設置し、外部全体は透光リングで被覆することを特徴とする内視鏡撮影レンズの照射構造。
【請求項２】
前記透光リングの外部は中段、上縁と下縁の三部位から形成され、該中段部位の外径レンズ部と管体の外径に等しく、また上縁と下縁の外径はレンズ部と管体の、内径に等しく、照射リングをレンズ部及び管体の遠隔としっかりと結合して一体にすることを特徴とする請求項１記載の内視鏡撮影レンズの照射構造。
【請求項３】
前記各発光体は、光線が透光リングから３６０度外向きにリング状に投射することを特徴とする請求項１記載の内視鏡撮影レンズの照射構造。
【請求項４】
前記各発光体は、異なる色と波の光線を備え、光線調整機構を結合し、異なる色と波長の光線と光線の輝度を制御することを特徴とする請求項１記載の内視鏡撮影レンズの照射構造。
【考案の詳細な説明】
【技術分野】
【０００１】
本考案は、内視鏡撮影レンズの照射構造に関するもので、主にレンズ部と内視鏡管体遠隔の間に照射リングを設置し、リング状に３６０度の完全な光線投射によって、均一に照射する照射補助構造を提供し、腔内の輝度を均衡にし、実際に近い画像を撮影することで誤った判断を防止する。
【背景技術】
【０００２】
公知の内視鏡の発光技術は、初期にはガラスファイバーを利用したライトガイドを実施しており、導管後方の光源を前端へ送り、レンズ撮影に必要な照明機能を提供していた。しかしながら、該材料は加工作業時に壊れやすいため、製造時の難度が高く、且つ応用時にも破損の状況が発生し、その破損したファイバーが人に危害を与え、また取り除きにくく、更にはコスト高という問題もあり、実用的でなかった。現在、公知のレンズ発光の構造は図１に示すとおり、主体は円柱形レンズ部１であり、主に前端に正方向の複数個の発光体１１をリング状に排列設置する。また、撮影モジュール１２はその中間位置に設置する。該発光体１１は、通常、発光ダイオードであり、該設計は使用において、発光体１１が正方向に発光する。しかしながら、内視鏡の使用は通常液体を含む器官の腔内で撮影するため、腔内では光滑面と充満した液体に拠って、発光体が照射する光線と直角を形成しやすく、逆光現象が発生する。映像を撮影する時、光点の形成に拠ってそれが視線の盲点となり、手術執行時、リスクを犯す危険性が高まる。その他、該設計の光源は、前端に集中することから、手術中、高温過熱の危険が起こりやすいため、改善する必要がある。本考案の考案者はこの改善を実施している（例として特許文献１参照）。それは主に、レンズ部の側方に透光孔を設置し、そこに透光片を設置する。またレンズ部の内部には縦方向の発光体を設置し、その光線は透光片を経て外向きに散光させ、全体の輝度を高め、人体腔内の部位を照らし、更に明晰な映像を撮影する。
【先行技術文献】
【特許文献】
【０００３】
【特許文献１】台湾実用新案登録第５２４４７４号明細書
【考案の概要】
【考案が解決しようとする課題】
【０００４】
解決しようとする問題点として、該構造は側方から補充光線を提供するが、両側に位置するため、発生する光線はレンズの両側に集中し、光影が形成され、誤った判断をしやすくなる点である。
【課題を解決するための手段】
【０００５】
本考案は、主にレンズ部と内視鏡管体遠隔の間に照射補助構造をリング形体で設置し、リング状に排列した複数個の発光体を含む。全体は透光リングで被覆し、照射リングを形成する。使用時、各発光体の光線は、透光リングを経て外向きに均一に散光し、リング状に３６０度の完全な光線投射することを最も主要な特徴とする。
【考案の効果】
【０００６】
本考案の内視鏡撮影レンズの照射構造は、検査を受ける腔内が更に良好な照明効率を得る他に、全面的に均一に照射することで、更に腔内の均一な輝度を獲得し、実際に近い画像を撮影することで、誤った判断を防止するという利点がある。
【図面の簡単な説明】
【０００７】
【図１】公知の内視鏡撮影レンズの組立図である。
【図２】本考案の内視鏡撮影レンズの照射構造の平面図である。
【図３】図２の立体分解図である。
【図４】図２の縦断面図である。
【図５】図２の横断面図である。
【考案を実施するための形態】
【０００８】
本考案は、内視鏡撮影レンズの照射構造であり、主にレンズ部と内視鏡管体遠隔の間に照射補助構造をリング形体に設置し、リング状に排列した複数個の発光体を含む。また、全体には透光リングで被覆し、照射リングを成形する。使用時、各発光体の光線は、透光リングを経て外向きに均一に散光し、リング状に３６０度の完全な光線投射によって、検査を受ける腔内が更に良好な照明効率を得る他に、全面的に均一に照射することで、更に腔内の均衡な輝度が提供され、実際の画像が撮影され、誤った判断を防止する。
【実施例】
【０００９】
図２から図５に示すとおり、本考案は内視鏡撮影レンズの照射構造であり、主に照射リング２を含み、レンズ部３と内視鏡管体４遠隔の間に設置し、リング状の照射補助構造を形成する。該照射リング２は、内部に複数個排列設置したリング状の発光体２１を含み、外部全体は透光リング２２で被覆する。透光リング２２の外部は中段２２２、上縁２２１と下縁２２３の三部位から形成される。そのうち、中段２２２部位の外径レンズ部３と管体４の外径に等しく、また上縁２２１と下縁２２３の外径はレンズ部３と管体４の内径に等しく、照射リング２をレンズ部３及び管体４の遠隔としっかり結合して一体にし、各発光体２１は透光リング２２中段２２２の内部に位置する。使用時、各発光体２１の光線は、照射リング２の透光リング２２中段２２２位置から３６０度外向きに投射し、完全で全面的な照射を達成する。医師が内視鏡で人体を検測する時、腔内空間に更に良好な照明を達成し、３６０度均一に照射することに拠って、更に腔内の輝度を均衡にする効果を得る。拠って、内視鏡で撮影した画像は更に実際に近づき、誤った判断を防止する。
【００１０】
本考案の創意の下、異なる色と波長の発光体を組合せ、医学上の診断に貢献する。更に光線調整機構を合わせることで、その発光色もしくは発光の輝度を変え、全体的な進歩性及び実用性を高める。
【００１１】
上述のとおり、本考案は極めて良好な進歩性を備えることから、実用新案登録の条件に符合する。
【符号の説明】
【００１２】
１        公知レンズ部
１１        発光体
１２        撮影モジュール
２        照射リング
２１        発光体
２２        透光リング
２２１        上縁
２２２        中段
２２３        下縁
３        本考案レンズ部
４        管体
【図１】
0003212801.tif 000003
【図２】
0003212801.tif 000004
【図３】
0003212801.tif 000005
【図４】
0003212801.tif 000006
【図５】
0003212801.tif 000007
【手続補正書】
【提出日】平成29年8月3日(2017.8.3)
【手続補正１】
【補正対象書類名】明細書
【補正対象項目名】全文
【補正方法】変更
【補正の内容】
【考案の詳細な説明】
【技術分野】
【０００１】
本考案は、内視鏡撮影レンズの照射構造に関するもので、主にレンズ部と内視鏡管体の一端の間に照射リングを設置し、リング状に３６０度の完全な光線投射によって、均一に照射する照射補助構造を提供し、腔内の輝度を均衡にし、実際に近い画像を撮影することで誤った判断を防止する。
【背景技術】
【０００２】
公知の内視鏡の発光技術は、初期にはガラスファイバーを利用したライトガイドを実施しており、導管後方の光源を前端へ送り、レンズ撮影に必要な照明機能を提供していた。しかしながら、該材料は加工作業時に壊れやすいため、製造時の難度が高く、且つ応用時にも破損の状況が発生し、その破損したファイバーが人に危害を与え、また取り除きにくく、更にはコスト高という問題もあり、実用的でなかった。現在、公知のレンズ発光の構造は図１に示すとおり、主体は円柱形レンズ部１であり、主に前端に正方向の複数個の発光体１１をリング状に排列設置する。また、撮影モジュール１２はその中間位置に設置する。該発光体１１は、通常、発光ダイオードであり、該設計は使用において、発光体１１が正方向に発光する。しかしながら、内視鏡の使用は通常液体を含む器官の腔内で撮影するため、腔内では光滑面と充満した液体に拠って、発光体が照射する光線と直角を形成しやすく、逆光現象が発生する。映像を撮影する時、光点の形成に拠ってそれが視線の盲点となり、手術執行時、リスクを犯す危険性が高まる。その他、該設計の光源は、前端に集中することから、手術中、高温過熱の危険が起こりやすいため、改善する必要がある。本考案の考案者はこの改善を実施している（例として特許文献１参照）。それは主に、レンズ部の側方に透光孔を設置し、そこに透光片を設置する。またレンズ部の内部には縦方向の発光体を設置し、その光線は透光片を経て外向きに散光させ、全体の輝度を高め、人体腔内の部位を照らし、更に明晰な映像を撮影する。
【先行技術文献】
【特許文献】
【０００３】
【特許文献１】台湾実用新案登録第５２４４７４号明細書
【考案の概要】
【考案が解決しようとする課題】
【０００４】
解決しようとする問題点として、該構造は側方から補充光線を提供するが、両側に位置するため、発生する光線はレンズの両側に集中し、光影が形成され、誤った判断をしやすくなる点である。
【課題を解決するための手段】
【０００５】
本考案は、主にレンズ部と内視鏡管体の一端の間に照射補助構造をリング形体で設置し、リング状に排列した複数個の発光体を含む。全体は透光リングで被覆し、照射リングを形成する。使用時、各発光体の光線は、透光リングを経て外向きに均一に散光し、リング状に３６０度の完全な光線投射することを最も主要な特徴とする。
【考案の効果】
【０００６】
本考案の内視鏡撮影レンズの照射構造は、検査を受ける腔内が更に良好な照明効率を得る他に、全面的に均一に照射することで、更に腔内の均一な輝度を獲得し、実際に近い画像を撮影することで、誤った判断を防止するという利点がある。
【図面の簡単な説明】
【０００７】
【図１】公知の内視鏡撮影レンズの組立図である。
【図２】本考案の内視鏡撮影レンズの照射構造の平面図である。
【図３】図２の立体分解図である。
【図４】図２の縦断面図である。
【図５】図２の横断面図である。
【考案を実施するための形態】
【０００８】
本考案は、内視鏡撮影レンズの照射構造であり、主にレンズ部と内視鏡管体の一端の間に照射補助構造をリング形体に設置し、リング状に排列した複数個の発光体を含む。また、全体には透光リングで被覆し、照射リングを成形する。使用時、各発光体の光線は、透光リングを経て外向きに均一に散光し、リング状に３６０度の完全な光線投射によって、検査を受ける腔内が更に良好な照明効率を得る他に、全面的に均一に照射することで、更に腔内の均衡な輝度が提供され、実際の画像が撮影され、誤った判断を防止する。
【実施例】
【０００９】
図２から図５に示すとおり、本考案は内視鏡撮影レンズの照射構造であり、主に照射リング２を含み、レンズ部３と内視鏡管体４の一端の間に設置し、リング状の照射補助構造を形成する。該照射リング２は、内部に複数個排列設置したリング状の発光体２１を含み、外部全体は透光リング２２で被覆する。透光リング２２の外部は中段２２２、上縁２２１と下縁２２３の三部位から形成される。そのうち、中段２２２部位の外径レンズ部３と管体４の外径に等しく、また上縁２２１と下縁２２３の外径はレンズ部３と管体４の内径に等しく、照射リング２をレンズ部３及び管体４の一端としっかり結合して一体にし、各発光体２１は透光リング２２中段２２２の内部に位置する。使用時、各発光体２１の光線は、照射リング２の透光リング２２中段２２２位置から３６０度外向きに投射し、完全で全面的な照射を達成する。医師が内視鏡で人体を検測する時、腔内空間に更に良好な照明を達成し、３６０度均一に照射することに拠って、更に腔内の輝度を均衡にする効果を得る。拠って、内視鏡で撮影した画像は更に実際に近づき、誤った判断を防止する。
【００１０】
本考案の創意の下、異なる色と波長の発光体を組合せ、医学上の診断に貢献する。更に光線調整機構を合わせることで、その発光色もしくは発光の輝度を変え、全体的な進歩性及び実用性を高める。該光線調整機構は、輝度調整機構及び発光選択ボタンを含む。
【００１１】
上述のとおり、本考案は極めて良好な進歩性を備えることから、実用新案登録の条件に符合する。
【符号の説明】
【００１２】
１        公知レンズ部
１１      発光体
１２      撮影モジュール
２        照射リング
２１      発光体
２２      透光リング
２２１      上縁
２２２      中段
２２３      下縁
３        本考案レンズ部
４        管体
【手続補正２】
【補正対象書類名】実用新案登録請求の範囲
【補正対象項目名】全文
【補正方法】変更
【補正の内容】
【実用新案登録請求の範囲】
【請求項１】
照射リングから構成された内視鏡撮影レンズの照射構造において、
レンズ部と内視鏡管体の一端の間に設置し、該照射リング内部にはリング状に排列した複数個の発光体を設置し、外部全体は透光リングで被覆することを特徴とする内視鏡撮影レンズの照射構造。
【請求項２】
前記透光リングの外部は中段、上縁と下縁の三部位から形成され、該中段部位の外径はレンズ部と管体の外径に等しく、また上縁と下縁の外径はレンズ部と管体の内径に等しく、照射リングをレンズ部及び管体の一端としっかりと結合して一体にすることを特徴とする請求項１記載の内視鏡撮影レンズの照射構造。
【請求項３】
前記各発光体は、光線が透光リングから３６０度外向きにリング状に投射することを特徴とする請求項１記載の内視鏡撮影レンズの照射構造。
【請求項４】
前記各発光体は、異なる色と波の光線を備え、輝度調整機構及び発光選択ボタンを含む光線調整機構を結合し、異なる色と波長の光線と光線の輝度を制御することを特徴とする請求項１記載の内視鏡撮影レンズの照射構造。